(57)【要約】【課題】マストへの取付容易性を損なうことなく、ケース本体をコンパクトにすることができる電子機器ケースにおけるマスト取付金具の保持構造を提供する。【解決手段】ケース本体２の背面側において突出する保持部２ａに、ボルト部材１２の連結部１２Ｂを保持部２ａに回動可能に保持する。押さえ金具１３は、両端部において左右のボルト部１２Ａの雄ねじ１２ａが挿入され、マストに対して取り付けられた状態でボルト部１２Ａ（雄ねじ１２ａ）に蝶ナット１４を締め込むことで保持部２ａとの間にマストを挟持固定する。保持部２ａに、マスト取付金具１１がケース本体２の背面に沿った状態で押さえ金具１３が係脱可能に当接係合する被係合部２ｄを形成する。押さえ金具１３が被係合部２ｄに係合した状態で蝶ナット１４を締め付けることによりマスト取付金具１１を保持部２ａに固定して保持させる。【選択図】　　　　図１
2004119404.tif 000002
【特許請求の範囲】
【請求項１】
ケース本体の背面側に保持部が突出して形成され、その保持部にマスト取付金具が保持され、そのマスト取付金具を介してマストに取り付けられる電子機器ケースにおけるマスト取付金具の保持構造であって、
前記マスト取付金具は、ボルト部材、押さえ金具及びナット部材を備え、前記ボルト部材は、左右のボルト部と、それらの基端を相互に連結する連結部とを有するコ字形状とされると共に、前記連結部が保持部に回動可能に保持され、前記押さえ金具は、両端部に左右のボルト部を挿通する被挿通部が形成され、この被挿通部を貫通するボルト部の雄ねじにナット部材が螺合される構成とされ、
前記保持部の、ケース上下方向の一方に、押さえ金具が係脱可能に当接係合する被係合部が形成されると共に、他方にボルト部材が挿通可能である貫通口部が形成され、この貫通口部内の前記被係合部と反対側にボルト部材の連結部を係止する係止部が設けられ、
前記貫通口部内の係止部にボルト部材の連結部が係止されかつ押さえ金具が保持部の被係合部に係脱可能に当接係合した状態でナット部材を締め付けることにより前記マスト取付金具が保持部に対して固定されることを特徴とする電子機器ケースにおけるマスト取付金具の保持構造。
【請求項２】
保持部の貫通口部内に、ケース本体の背面に沿ってケース上下方向に延びる第１の空間部が形成され、前記第１の空間部よりもケース本体の背面から離れて前記被係合部とは反対側に位置するように第２の空間部が形成され、
前記係止部は、第１及び第２の空間部の間に設けられ、前記ボルト部材の連結部の、第２の空間部から第１の空間部への移動を規制する突起部である請求項１記載の電子機器ケースにおけるマスト取付金具の保持構造。
【請求項３】
ケース本体の背面側に保持部が突出して形成され、その保持部にマスト取付金具が保持され、そのマスト取付金具を介してマストに取り付けられる電子機器ケースにおけるマスト取付金具の保持構造であって、
前記マスト取付金具は、ボルト部材、押さえ金具及びナット部材を備え、前記ボルト部材は、左右のボルト部と、それらの基端を相互に連結する連結部とを有するコ字形状とされると共に、前記連結部が保持部に回動可能に保持され、前記押さえ金具は、両端部に左右のボルト部が挿通される被挿通部が形成され、この被挿通部を貫通するボルト部の雄ねじにナット部材が螺合される構成とされ、前記保持部の前記被係合部側にボルト部材が挿通可能である貫通口部が形成され、ケース本体の背面側に、前記マスト取付金具に対応する係合凹部が形成され、その係合凹部のうちボルト部材の連結部に対応する部分は前記貫通口部内の下方に位置し、
さらに、保持部の、ケース上下方向の一方に、その係合凹部にマスト取付金具が収納された状態で押さえ金具が係脱可能に当接係合する被係合部が形成され、
マスト取付金具が係合凹部に収納されると共に押さえ金具が保持部の被係合部に係合した状態でナット部材を締め付けることにより前記マスト取付金具が保持部に対して固定されることを特徴とする電子機器ケースにおけるマスト取付金具の保持構造。
【発明の詳細な説明】
【０００１】
【発明の属する技術分野】
この発明は、電子機器ケース（例えば、ブースタ、コンバータ、混合器、分岐分配機などの、高周波回路を収容した電子機器のケース）におけるマスト取付金具の保持構造に関するものである。
【０００２】
【従来の技術】
従来、例えば、ブースター、コンバータ、混合器などの電子機器のケースのように、マスト取付金具を介して、マストに取り付けられて使用されるものが知られている。そのような電子機器ケースは、例えば図１０（ａ）（ｂ）に示すように、ケース本体１０１の背面部中央に保持部１０１ａが突出して形成され、この保持部１０１ａにマスト取付金具１１が保持され、このマスト取付金具１１を介して、ケース本体１０１をマスト（図示せず）に取り付けるようになっている。こうした電子機器ケースにおいてマスト取付金具を保持部１０１ａに保持するのは、例えば輸送中にマスト取付金具１１等の突出を防ぎ、梱包状態での省スペース化を図るとともに、輸送中にケース本体１０１の背面側からマスト取付金具１１等が突出して損傷するのを防止するためである。
【０００３】
マスト取付金具１１は、コ字形状のボルト部材１２、押さえ金具１３及び２つの蝶ナット１４からなる一方（図５参照）、保持部１０１ａに、ケース上下方向に長くボルト部材１２が挿入される貫通口部１０１ｂが形成されている。
【０００４】
ボルト部材１２は、線材がコ字形状に折り曲げられたもので、左右のボルト部１２Ａと、それらの基端を相互に連結する連結部１２Ｂとを有し、連結部１２Ｂの部分において保持部１０１ａの貫通口部１０１ｂに回動可能に保持されるようになっている。
【０００５】
押さえ金具１３は、両端部にボルト部１２Ａが挿通される被挿通部がそれぞれ形成され、中央部にマストに係合する階段状の係合凹部１３ｃが形成されている。そして、被挿通部を貫通して突出する雄ねじに蝶ナット１４が螺合されている。ケース本体１０１の背面側において、保持部１０１ａの、ケース上下方向の上部には中央部及び左右２つの被係合凸部１０１ｃが形成される。なお、マスト取付金具１１の保持状態では、被係合凸部１０１ｃの中央部分に押さえ金具１３の係合凹部１３ｃ係脱可能に係合し、左右の部分に係合凹部１３ｃの両側部分が接離可能に当接する。
【０００６】
そして、ボルト部材１２をケース本体１０１の背面に沿うように配置し（図１０（ｂ）参照）、押さえ金具１３を被係合凸部１０１ｃに係脱可能に係合させ、その状態で蝶ナット１４を締め付けることで、マスト取付金具１１をケース本体１０１の背面側に保持させることができる。一方、マストに取り付ける場合には、蝶ナット１４を緩め、押さえ金具１３と被係合凸部１０１ｃとの係合を解除してボルト部材１２を矢印Ａの方向に回転すれば、連結部１２Ｂが貫通口部１０１ｂの上端面に当接する一方、ボルト部１２Ａが下側から、保持部１０１ａに一体に形成された倒れ防止用支持片１０１ｅによって支持され、ボルト部材１２がケース本体１０１の背面に直交した状態に保持され、保持部１０１ａと押さえ金具１３との間にマストを挟持し蝶ナット１４を締めることで、取り付けることができる（図１０（ｂ）の一点鎖線の状態を参照）。
【０００７】
また、前記左右２つの被係合凸部１０１ｃに代えて、図１０（ｃ）に示すように、ケース本体１０１’の上端部に、押さえ金具１３を係脱可能に係止できる係止片１０１ｆを形成し、押さえ金具１３を係止片１０１ｆに係止し、その状態で蝶ナット１４を締め付けることで、マスト取付金具１１をケース本体１０１の背面側に保持させることもできる。この場合も、蝶ナット１４を緩めることで、図１０（ａ）（ｂ）に示すものと同様に、マストに対する取り付けのために保持状態を解除することができる。
【０００８】
さらに、本体の背板と一体に形成した当付座（保持部に相当）にＵ字形ボルトの基端部が回転可能に支持され、Ｕ字形ボルトを下方に倒した状態で、前記本体下部の壁面取付用の止着ネジの挿通用の挿通孔を備える２つの座の中間に前記Ｕ字形ボルトの自由端部に付着した押さえ金具を収納するための収納部が形成され、そこに押さえ金具を保持するための保持体が設けられているものが知られている（例えば、特許文献１参照）。
【０００９】
【特許文献１】
特許第２５７２９８１号公報（第１頁〜第３頁、第８図）
【００１０】
【発明が解決しようとする課題】
上記の図１０（ａ）（ｂ）に示す構造では、ボルト部材１２を、保持部１０１ａと、ケース本体１０１側の被係合凸部１０１ｃとの間にかけわたしており、また、蝶ナット１４を締め込んだ状態ではボルト部材１２の連結部１２Ｂが、貫通口部１０１ｂの、ケース上下方向の上端位置付近に位置することになるので、ケース上下方向の長さを、ボルト部材１２の長さよりも長くする必要があり、コンパクト化が困難であった。特に、図１０（ｃ）に示す構造では、押さえ金具１３をケース本体１０１’の係止片１０１ｆに係脱可能に係止して嵌め込んだ状態で蝶ナット１４を締め込んで、保持させるようにしているので、その係止（保持状態）を解除するために蝶ナット１４を緩める量が、図１０（ａ）（ｂ）の構造のものよりも大きくなる。
【００１１】
また、特許文献１に示す技術でも、本体（ケース本体）のほぼ中央に位置する当付座と、本体の、本体上下方向の端部に位置する収納部との間に、Ｕ字形ボルトをかけわたすので、本体がＵ字形ボルトの２倍程度の長さとなるため、やはり本体をコンパクトにすることが困難である。
【００１２】
一方、電子機器ケースのケース本体をコンパクトにした場合であっても、マストへの取付容易性は確保したいという要求がある。
【００１３】
本発明は、マストへの取付容易性を損なうことなく、ケース本体をコンパクト化できる電子機器ケースにおけるマスト取付金具の保持構造を提供することを目的とするものである。
【００１４】
【課題を解決するための手段】
本発明は、ケース本体の背面側に保持部が突出して形成され、その保持部にマスト取付金具が保持され、そのマスト取付金具を介してマストに取り付けられる電子機器ケースにおけるマスト取付金具の保持構造であって、前記マスト取付金具は、ボルト部材、押さえ金具及びナット部材を備え、前記ボルト部材は、左右のボルト部と、それらの基端を相互に連結する連結部とを有するコ字形状とされると共に、前記連結部が保持部に回動可能に保持され、前記押さえ金具は、両端部に左右のボルト部を挿通する被挿通部が形成され、この被挿通部を貫通するボルト部の雄ねじにナット部材が螺合される構成とされ、前記保持部の、ケース上下方向の一方（例えば上部）に、押さえ金具が係脱可能に当接係合する被係合部が形成されると共に、他方（下部）にボルト部材が挿通可能である貫通口部が形成され、この貫通口部内の前記被係合部と反対側（下部）にボルト部材の連結部を係止する係止部が設けられ、前記貫通口部内の係止部にボルト部材の連結部が係止されかつ押さえ金具が保持部の被係合部に係脱可能に当接係合した状態でナット部材を締め付けることにより前記マスト取付金具が保持部に対して固定されることを特徴とするものである。ここで、「当接係合」とは、単に接触した状態で係合していることを意味する。
【００１５】
このようにすれば、保持部の、ケース上下方向の一方（上部）に被係合部が形成され、（マスト取付金具がケース本体の背面に沿った状態で）押さえ金具が保持部の被係合部に係脱可能に当接係合する構成とされると共に、他方（下部）にボルト部材が挿通可能である貫通口部が形成され、この貫通口部内の前記被係合部と反対側（下部）にボルト部材の連結部を係止する係止部が設けられているので、保持部のケース上下方向の長さをボルト部材（ボルト部）の長さにほぼ等しくすれば、マスト取付金具を保持部に保持させることができ、ケース上下方向の長さを短くしてコンパクト化を図ることができるようになる。また、その保持状態も、ボルト部材の連結部を貫通口部内の係止部に係止させ、押さえ金具を保持部の被係合部に係脱可能に係合させているだけであるので、ナット部材を緩めるだけで、保持状態を簡単に解除することができ、特別な操作は必要なく、作業性を損なうことはない。特に、押さえ金具が被係合部に係脱可能に当接係合しているので、ナット部材を少し緩めるだけで係合状態（当接係合状態）を解除することができる。
【００１６】
また、その場合、保持部の貫通口部内に、ケース本体の背面に沿ってケース上下方向に延びる第１の空間部が形成され、前記第１の空間部よりもケース本体の背面から離れて前記被係合部とは反対側に位置するように第２の空間部が形成され、前記係止部が、第１及び第２の空間部の間に設けられ、前記ボルト部材の連結部の、第２の空間部から第１の空間部への移動を規制する突起部である構成とすることができる。
【００１７】
このようにすれば、マスト取付金具の保持状態（ナット部材が締め付けられている状態）では、ボルト部材の連結部が第２の空間部に位置し、突起部によって第２の空間部から第１の空間部に移動するのが防止される。一方、マストへの取付時には、ナット部材を緩めると、ボルト部材の連結部を、突起部を越えて第２の空間部から第１の空間部に移動させることができ、マスト取付けのためのボルト部材（連結部）の移動を簡単に行うことができる。
【００１８】
電子機器ケースの保持部にコ字形状のボルト部材を保持するための手段を設ける必要はなく、電子機器ケースの背面側に直接設けるようにすることも可能である。この場合には、ボルト部材を前述したように構成するほか、前記保持部の下部にボルト部材が挿通可能である貫通口部が形成され、ケース本体の背面側に、前記マスト取付金具に対応する係合凹部が形成され、その係合凹部のうちボルト部材の連結部に対応する部分は前記貫通口部内の下方に位置し、さらに、保持部の、ケース上下方向の上部に、その係合凹部にマスト取付金具が収納された状態で押さえ金具が係脱可能に当接係合する被係合部が形成され、マスト取付金具が係合凹部に収納されると共に押さえ金具が保持部の被係合部に係合した状態でナット部材を締め付けることにより前記マスト取付金具が保持部に対して固定されるようにすればよい。
【００１９】
このようにすれば、ボルト部材を収容可能な係合凹部を設け、その係合凹部に保持部を設けているので、前述した場合とは異なり、第２の空間部をなくして第１の空間部のみとすることができる。これにより、保持部自体の厚さを薄くするとともに係合凹部２ｆよりの突出量も小さくすることができ、ケース本体の全体の厚みを薄くすることが可能となる。
【００２０】
【発明の実施の形態】
以下、この発明の実施の形態を図面に沿って説明する。
【００２１】
図１は本発明に係る構造が適用されマスト取付金具が保持状態にある電子機器ケースを、正面側から見た状態を示す斜視図、図２は前記電子機器ケースを、正面側から見た状態を示す斜視図、図３は同ケース（マスト取付金具を省略した状態）を、背面側から見た状態を示す斜視図、図４は同ケース（マスト取付金具を省略した状態）の側面図、図５はマスト取付金具を示す斜視図である。
【００２２】
図１〜図５に示すように、電子機器ケース１は、ケース本体２の背面側において、ケース上下方向の下側寄りに保持部２ａが突出して形成されている。その保持部２ａにはマスト取付金具１１が保持され、そのマスト取付金具１１を介して電子機器ケース１がマストＭに取付固定されるようになっている。
【００２３】
ケース本体２は、ケース上下方向の下面側に複数の接続端子部２ｂ（本例では３つであるが、その数は制限されない）が設けられている。ケース上下方向の上部両側部分には蓋部材３の上部左右が回動可能に軸支され、ケース本体２の表面側を蓋部材３にて開閉可能に覆うことができるように構成されている。ケース本体２及び蓋部材３は、それぞれ合成樹脂により射出成形にて成形されている。
【００２４】
マスト取付金具１１は、図４に詳細を示すように、ボルト部材１２、押さえ金具１３（押さえ金具）及び２つの蝶ナット１４（ナット部材）によって構成される。
【００２５】
ボルト部材１２は、線材がコ字形状に折り曲げて形成されたもので、先端部分から中央部分にかけて雄ねじ１２ａとされる左右のボルト部１２Ａと、それらの基端を相互に連結する連結部１２Ｂとを有し、連結部１２Ｂが保持部２ａの貫通口部２ｃ（ケース左右方向において貫通する貫通口部）に回動可能に保持されるようになっている。
【００２６】
押さえ金具１３は、金具本体１３Ａと、その金具本体１３Ａの両側縁より同一方向に延びる２つの側縁部１３Ｂとにより断面コ字形状に形成されている。そして、金具本体１３Ａの両端部に左右のボルト部１２Ａの雄ねじ１２ａが挿通される被挿通部として、一方の端部側に長穴１３ａが、他方の端部側に切り欠き１３ｂがそれぞれ形成されている。長穴１３ａ及び切り欠き１３ｂを貫通して突出する雄ねじ１２ａに蝶ナット１４が螺合されている。
【００２７】
これにより、ボルト部材１２の左右のボルト部１２Ａの雄ねじ１２ａが長穴１３ａ及び切り欠き１３ｂに挿通され、マストＭに対して取り付けられた状態で雄ねじ１２ａに蝶ナット１４を締め込むことで押さえ金具１３と保持部２ａとの間にマストＭを挟持固定することができる。さらに、押さえ金具１３の側縁部１３Ｂの下縁は、保持部２ａの上部に形成される被係合部２ｄに係脱可能に当接係合するように構成されている。この係合凹部１３ｃは、マスト取付時にマストの外周面に当接する部分であり、これに対応して保持部２ａにもマスト取付時にマストの外周面に当接する係合凹部２ｈがケース上下方向に形成されている。
【００２８】
前記保持部２ａの、ケース上下方向の下部には、組み立て時に、ボルト部材１２を挿入するための貫通口部２ｃが形成されている。貫通口部２ｃは、ボルト部材１２がケース上下方向に移動可能である第１の空間部Ｓ１と、この第１の空間部Ｓ１に連通しボルト部材１２を保持するための第２の空間部Ｓ２とを有し、第１及び第２の空間部Ｓ１，Ｓ２との間にはボルト部材１２の移動を規制する突起部２ｅ（係止部）が設けられている。第２の空間部Ｓ２は、貫通口部２ｂ内において、ケース上下方向の下方に位置している。また、突起部２ｅの突出量は、ボルト部材１２（連結部１２Ｂ）がそれを不用意に乗り越えて第２の空間部Ｓ２から第１の空間部Ｓ１へ移動しない程度の大きさとされ、また、突起部２ｅの先端（下端）と、貫通口部２ｂ（第２の空間部Ｓ２）の下端との間隔は、ボルト部材１２の連結部１２Ｂが通過できる程度の大きさとされる。なお、第１及び第２の空間部Ｓ１，Ｓ２のケース厚さ方向の長さは、ボルト部材１２のより少し大きい程度あればよい。
【００２９】
また、保持部２ａの、ケース上下方向の上部に、押さえ金具１３が係脱可能に当接係合する被係合部２ｄが形成されている。そして、ボルト部材１２の連結部１２Ｂが第２の空間部Ｓ２に位置すると共に、マスト取付金具１１（ボルト部材１２）がケース本体２の背面に沿った状態で、押さえ金具１３の下側部分を被係合部２ｄに係脱可能に当接係合させる。その状態で、蝶ナット１４で締め付けることにより、押さえ金具１３及び蝶ナット１４は、蝶ナット１４と共に保持部２ａにコンパクトに固定される。なお、蝶ナット１４を締め付ける際に操作を容易にするため、切欠き２ｊを設けている。
【００３０】
このように、押さえ金具１３を保持部２ａの被係合部２ｄに蝶ナット１４で締め付けると共に、通常状態では、ボルト部材１２を第２の空間部Ｓ２に位置させて突起部２ｅにて係止することで、コンパクトに固定することが実現される。この場合、保持部２ａに、ボルト部材１２（連結部１２ａ）を保持する部分及び押さえ金具１３を保持する部分を設け、保持部２ａのケース上下方向の長さをボルト部材１２（ボルト部１２Ａ）の長さにほぼ等しくしているので、マスト取付金具１１を保持部２ａに保持させることができ、ケース上下方向の長さを短くしてケースのコンパクト化を図る上で有利となる。
【００３１】
また、保持部２ａには、マストＭへの取付時に、ボルト部材１２のボルト部１２Ａを下側から支持してボルト部材１２の倒れを防止する支持片２ｇ，２ｇが設けられている。よって、マストＭへの取付時には、２つの蝶ナット１４を緩め、ボルト部材１２の連結部１２Ｂを第１の空間部Ｓ１の上端部まで移動させ、そこで回動することで保持部２ｇ，２ｇにて支持されることになる。
【００３２】
上記構造によれば、図６及び図７（ａ）（ｂ）に示すように、マスト取付金具１１がケース本体２の背面に沿った状態とすることで、押さえ金具１３が保持部２ａの被係合部２ｄに係脱可能に当接係合することになる。そして、押さえ金具１３が被係合部２ｄに当接係合した状態で蝶ナット１４を締め付けることによりマスト取付金具１１全体が保持部２ａに対し固定され、コンパクトな保持状態とされる。
【００３３】
そして、図８に示すように、マスト取付金具１１の保持状態では押さえ金具１３の下側部分が被係合部２ｄに当接係合しているだけであるので、マスト取付時には、蝶ナット１４を２〜３回程度回転して緩めることで、第２の空間部Ｓ２から突起部２ｅを越えて第１の空間部Ｓ１側にボルト部材１２の連結部１２Ｂを移動させることができる。その状態で、連結部１２Ｂを第１の空間部Ｓ１の上端部に移動させ、連結部１２Ｂを回転軸としてマスト取付金具１１全体を回転させ、ボルト部１２Ａを支持片２ｇの上側に位置させる（載せる）。このように支持片２ｇにて支持することで、従来と同様にボルト部材１２が倒れないようにマスト取付金具１１は保持される。
【００３４】
そして、マストＭを、保持部２ａと押さえ金具１３との間に位置させ（すなわち保持部２ａの係合凹部２ｈと押さえ金具１３の係合凹部１３ｃとで挟持した状態として）、マストＭに対して取り付けられた状態で、雄ねじ１２ａ（押さえ金具１３からの突出部分）に蝶ナット１４を締め込むことで、マスト取付金具１１を介してマストＭに電子機器ケース１を取付固定することができる。
【００３５】
本発明は、前記実施の形態に制限されるものではなく、次のように構成することも可能である。
（１）前記の実施形態とは逆に、ケース上下方向の上部に保持部２ａを設け、下部側に被係合部２ｄを設けることができる。
（２）ケース本体２（電子機器ケース１）の保持部２ａにボルト部材１２（連結部１２Ｂ）や押さえ金具１３を係止する手段を設けているが、それに代えて、電子機器ケースの背面側にそれらを係止する手段を設けるようにすることも可能である。
【００３６】
この場合には、図９に示すように構成できる。すなわち、ケース本体２’の背面側に、マスト取付金具１１（ボルト部材１２及び押さえ金具１３）に対応する形状を有しマスト取付金具１１を収納可能である係合凹部２ｆを形成し、その係合凹部２ｆのうちボルト部材１２の連結部１２Ｂに対応する部分は貫通口部２ｃ’内の下方に位置させる。その係合凹部２ｆにマスト取付金具１１が収納された状態で押さえ金具１３が係脱可能に当接係合する被係合部２ｄ’を保持部２ａ’に形成する。マスト取付金具１１が係合凹部２ｆに収納されると共に押さえ金具１３が保持部２ａ’の被係合部２ｄ’に係合した状態で蝶ナット１４を締め付けることによりマスト取付金具１１を保持部２ａ’に対して、前述した場合と同様に固定することができる。
【００３７】
本実施形態では、ボルト部材１２を収納する係合凹部２ｆを設け、その係合凹部２ｆ内に保持部２ａ’を設けているので、前述した実施の形態とは異なり、第２の空間部をなくして第１の空間部のみとすることができる。これにより、保持部２ａ’自体の厚さを薄くするとともに係合凹部２ｆよりの突出量も小さくすることが可能となり、ケース本体２の全体の厚みを薄くできる。
【００３８】
また、係合凹部のうちボルト部材を収納する部分（貫通口部内にも一部形成される）は、ボルト部材の形状に対応する溝形状とすることも可能である。
（３）ケース本体の保持部と押さえ金具との間にマストを保持することができないほど、マストの径が大きい場合には、前述した構成のマスト取付金具１１を用いることなく、それを取り外して、貫通口部にバンド部材などの挿入し、そのバンド部材をマストに巻き付けることで取り付けることができるのは、従来と同様である。なお、貫通口部２ｃは、ケース本体２の保持部２ａに対しボルト部材１２を容易に取り付け・取り外しすることができる大きさとされている。
【００３９】
【発明の効果】
この発明は、以上に説明したように構成されるので、ケース本体の保持部にマスト取付金具を取り付け、ケース本体を、ケース上下方向においてボルト部材とほぼ同じ長さとすることができるので、ケース本体を従来よりも大幅に小型化できる。また、マストへの取付時に、ボルト部材（マスト取付金具）の移動（回転）も簡単にできるので、マストへの取付容易性を損ねることもない。
【図面の簡単な説明】
【図１】本発明に係る構造が適用されマスト取付金具が保持状態にある電子機器ケースを、正面側から見た状態を示す斜視図である。
【図２】前記電子機器ケースを、正面側から見た状態を示す斜視図である。
【図３】同ケース（マスト取付金具を省略した状態）を、背面側から見た状態を示す斜視図である。
【図４】同ケース（マスト取付金具を省略した状態）の側面図である。
【図５】マスト取付金具を示す斜視図である。
【図６】電子機器ケースにマスト取付金具が取り付けられた状態の側面図である。
【図７】マストへの取付状態を示す側面図である。
【図８】マスト取付金具が保持された状態を示し、（ａ）は側面図、（ｂ）は背面図である。
【図９】変形例についての電子機器ケースを正面側から見た状態を示す、図３と同様の図である。
【図１０】従来例においてマスト取付金具が保持された状態を示す、（ａ）は側面図、（ｂ）は背面図、（ｃ）は他の例の要部拡大図である。
【符号の説明】
１　　電子機器ケース
２，２’　　ケース本体
２ａ，２ａ’　　保持部
２ｂ　　端子部
２ｃ，２ｃ’　　貫通口部
Ｓ１　　第１の空間部
Ｓ２　　第２の空間部
２ｄ，２ｄ’　　被係合部
２ｅ　　突起部（係止部）
２ｆ　　係合凹部
２ｇ　　支持片
３　　蓋部材
１１　　マスト取付金具
１２　　ボルト部材
１２Ａ　　ボルト部
１２Ｂ　　連結部
１２ａ　　雄ねじ
１３　　押さえ金具
１３ａ　　長穴（被挿通部）
１３ｂ　　切り欠き（被挿通部）
１３ｃ　　係合凹部
１４　　蝶ナット（ナット部材）
Ｍ　　マスト
【図１】
2004119404.tif 000003
【図２】
2004119404.tif 000004
【図３】
2004119404.tif 000005
【図４】
2004119404.tif 000006
【図５】
2004119404.tif 000007
【図６】
2004119404.tif 000008
【図７】
2004119404.tif 000009
【図８】
2004119404.tif 000010
【図９】
2004119404.tif 000011
【図１０】
2004119404.tif 000012